(57)【要約】      （修正有）【課題】構成を簡潔にして、コスト削減を図ると共に、ダクトを使用し、計器用変流器の取付けを容易とし、出力配線作業の簡易化、効率向上化が図れる交流分岐架を提供する。【解決手段】筺体内に横方向並列配置した配線用遮断器列４の出力線７をスペーサーを介して個々に包縛して、前記配線用遮断器列と平行して横方向並列配置した出力用中継端子台６へ縦方向配線をした。また、配線用遮断器列と出力中端子台の間に平行設置した計器用変流器８取付用のダクト内９を貫通する出力線に計器用変流器を取付けて該計器用変流器とその配線等を収容し、筺体下部に出力線のシールドアース線を接続する専用バー１１を備えた。【選択図】図１
2010193583.tif 000002
【特許請求の範囲】
【請求項１】
入力側交流電源を配線用遮断器を介して出力中継端子に分岐供給し、出力中継端子電源を必要とする複数の装置に交流電源を供給するように備えた交流分岐架において、
筺体内に、入力側交流電源に接続した設定数の配線用遮断器を横方向並列設置した配線用遮断器列を設定段数上下平行に配置して各配線用遮断器列の各配線用遮断器を設定段縦方向並列にすると共に、
前記配線用遮断器列の下方部に設定段数の配線用遮断器列の各配線用遮断器の出力線を接続するに見合った数の出力中継端子を横方向並列設置した出力中継端子台を設定段数上下平行に配置し、
配線用遮断機列の個々の配線用遮断機の出力線を縦方向配線して、出力中継端子台の個々の出力中継端子に直接的に接続するように備え、
また、個々の配線用遮断機毎にその出力線を包縛し、包縛する際に出力線間に絶縁性のスペーサーを介在するように備え、
また、筺体下部に前記出力中継端子台の個々の出力中継端子に接続したシールドアースを接続する専用の接地バーを備えたことを特徴とする、
交流分岐架。
【請求項２】
筺体内の上部に、配線用遮断器を９個横方向並列設置した配線用遮断器列を上下平行に４段配置して各配線用遮断器列の各配線用遮断器を４個縦方向並列すると共に、
前記配線用遮断器列２段を組として１８個の配線用遮断器の出力線３６本を接続する３６個の出力中継端子を横方向並列設置した出力中継端子台を２段上下平行に配置して、
１・２段目の配線用遮断器列の縦列２個の出力線４本、及び、３・４段目の配線用遮断器列の縦列２個の出力線４本を各組として縦方向配線して、１・２段目の出力線４本を２段目の出力中継端子台の４個の出力中継端子に直接的に接続し、
３・４段目の出力線４本を１段目の出力中継端子台の４個の出力中継端子に直接的に接続するように備え、
また、上記縦列２個の配線用遮断機の出力線４本は配線用遮断機毎に２本を包縛したのち、２本包縛したもの同志をスペーサーを介在して４本包縛して縦方向配線し、縦方向配線した位置で相対した４個の出力中継端子に直接的に接続するように備えたことを特徴とする、
請求項１記載の交流分岐架。
【請求項３】
筺体内の上部に上下平行に配置した配線用遮断器列とその下方部に上下平行に配置した出力中継端子台の間に上下平行して設定段数のダクトを配置し、
該ダクトは、角管状体の前面に蓋板を着脱自在に取付けると共に周面に設定間隔に孔をあけて備え、該孔に前記配線用遮断器と出力中継端子間に接続した出力線の測定対象の出力線を貫通し、該ダクト内の該出力線に計器用変流器を着脱自在に接続して該計器用変流器をダクト内に収納設置可能とすると共に計器用変流器設置のための配線もダクト内に収容・配線可能としたことを特徴とする、
請求項１記載の交流分岐架。
【請求項４】
筺体内に、上下平行に配置した４段の配線用遮断機列に、６０Ａフレームの単相配線用遮断機を最大横方向並列９個で縦方向並列４個の計３６個を収納し、
前記配線用遮断機列の下方部に上下平行に２段の出力中継端子台を備えたことを特徴とする、
請求項1記載の交流分岐架。
【請求項５】
前記出力中継端子台の１４ｍｍ２の電線を収容できる出力中継端子に、最大１８個の配線用遮断機からの出力電線を収容できるように備えたことを特徴とする、
請求項1記載の交流分岐架。
【請求項６】
筺体内に上下平行に２段に配置した前記出力中継端子台において、上下の出力中継端子の端子部が重なって出力線の配線接続の妨げにならないようにするため、左右に位置をずらして配置したことを特徴とする、
請求項1記載の交流分岐架。
【請求項７】
筺体内に配置した前記出力中継端子台及び前記接地バーの各正面を、出力線及びシールドアースの配線接続を容易にするため、垂直方向に対し２０〜３０度傾斜して備えたことを特徴とする、
請求項1記載の交流分岐架。
【発明の詳細な説明】
【技術分野】
【０００１】
本発明は、データセンター等の施設で使用するサーバーやこれに類する電源を必要とする複数の装置に交流電源を複数に分岐して供給するための交流分岐架であり、従来の交流分岐架における入力側交流電源の配線用遮断機（ＭＣＣＢ）から出力中継端子への配線手段等を見直して、電流低減率を低減し、それにより径の細い出力線を使用できるようにし、交流分岐架の構成を簡潔にしてその製造効率向上及びコスト削減を図るものであり、また、ユーザー等側の作業を簡単容易にしてその効率を向上するためにダクトを使用して出力電流を測定する計器用変流器（ＣＴ）の取付けが容易にでき、また、出力配線作業の簡易化、効率向上化が図れるようにしたことを特徴とする交流分岐架を提供するものである。
【背景技術】
【０００２】
従来、交流分岐架１０１は、例えば、図５に示すように、筐体１０２内の上部に配線用遮断機１０３を横方向並列に９個、縦方向並列に４個の計３６個配置し、横方向並列９個を１ブロックと考え、１ブロックの出力線１０７（例、１４ｍｍ２の電線・それに絶縁被覆してあるため、配線する実線の径は更に大になっている。）、合計１８本を１束に包縛（多条密接包縛）し、
配線用遮断機１０３が４ブロック（４段）の場合は２ブロック（３６本）宛に包縛して、その多条密接包縛出力線１０８（３６本）を更に筐体１０１内の左右内側に沿って縦方向配線して、筐体１０１内の左右内側に沿って夫々出力中継端子１０５（３６個）を縦方向並列に設置した出力中継端子台１０６の各出力中継端子１０５に接続するように備えたものである。
また、前記各出力中継端子１０５には負荷側（機器側）に接続するケーブルのシールドアース用接地線１１０を接続する端子を配線用遮断機１０３の数に見合った数設置し、その１次側を直列接続してシールドアース用接地線１１０に接続して設けたものである。
【先行技術文献】
【特許文献】
【０００３】
【特許文献１】特願平８−０６５８２７号公報
【発明の概要】
【発明が解決しようとする課題】
【０００４】
従来の交流分岐架は、例えば上記のように、配線用遮断機９個の１ブロック毎に出力線を包縛し最大２ブロック分を１束に多条密接包縛するため、各１本の出力線に流せる電流許容値は相互干渉により低下して、単独に１本配線する場合の約６０％に低下する。
よって必要値の電流を流すためには１本当たりの線径を大にしなければならず、そのため出力線のコストが高くなり、曲げ加工・接続等の作業性が悪い課題があった。
【０００５】
また、前記多条密接包縛した出力線の配線・敷設において、前記のように出力中継端子（台）が縦方向並列に設置されているため、例えば、単相２線式（出力線２本）の配線用遮断機の場合に上下段差がある２個の出力中継端子に接続するためには、２本の出力線の長さに寸法差（長・短）を付けて端末処理したものを準備しなければならず、また、作業時に極性を間違えると長さが違うため接続不能となって新たに配線をしなければならない課題があった。
前記はユーザー等側が出力中継端子の２次側（負荷側）を接続する場合にも該当し、負荷側装置等は一般的にケーブルを使用するため、前記出力線の接続と同様な配線加工を余儀なくされる課題があった。
【０００６】
また、前記ケーブルは通常シールド付きを使用するため、該シールドにアース線を取付け出力中継端子に接続しなければならず、従って配線数もシールドアース線分、例えば、配線用遮断機２グループを縦１列の出力中継端子に接続しようとすると、出力線と同数の１８本のシールドアース線が必要となり、よって単相出力の場合でも全体では最大５４本の出力線を包縛する必要があるため、極めて作業性が悪く非効率的であった。
【０００７】
また、当初から、分岐電流を測定するための計器用変流器を設置する場合は出力中継端子の１次側（入力側）に設置（固定が必要）しておけばよいが、ユーザー等側が、後から、計器用変流器を設置する場合は出力中継端子の１次側（入力側）を外したり、多条密接包縛出力線の包縛を外して個々の出力線に取付ける必要があり、よって、極めて作業性が悪い上、特に、停電を伴うため、出力中継端子に接続した負荷側装置が稼働状態の場合には非常に困難な課題があった。
【課題を解決するための手段】
【０００８】
請求項１の発明は、入力側交流電源を配線用遮断器を介して出力中継端子に分岐供給し、出力中継端子電源を必要とする複数の装置に交流電源を供給するように備えた交流分岐架において、
【０００９】
筺体内に、入力側交流電源に接続した設定数の配線用遮断器を横方向並列設置した配線用遮断器列を設定段数上下平行に配置して各配線用遮断器列の各配線用遮断器を縦方向並列設置すると共に、
前記配線用遮断器列の下方部に設定段数の配線用遮断器列の各配線用遮断器の出力線を接続するに見合った数の出力中継端子を横方向並列設置した出力中継端子台を設定段数上下平行に配置し、
配線用遮断機列の個々の配線用遮断機の出力線を縦方向配線して、出力中継端子台の個々の出力中継端子に直接的に接続するように備え、
【００１０】
また、個々の配線用遮断機毎にその出力線を包縛し、包縛する際に出力線間に絶縁性のスペーサーを介在するように備えたものであり、
【００１１】
また、筺体下部に前記出力中継端子台の個々の出力中継端子に接続したシールドアースを接続する専用の接地バーを備えたことを特徴とする、交流分岐架によって課題を解決したものである。
【００１２】
即ち、従来は横方向並列に９個横方向並列に設置した配線用遮断機を1ブロックとして出力線の配線を行っていたが、本発明は、出力中継端子（台）への配線を効率的かつ安全に実施するため、出力中継端子台を配線用遮断機列と平行に設置し、配線用遮断機の縦方向並列を1ブロックとして、各配線用遮断機からの配線は出力中継端子への縦方向配線して、出力中継端子に直接的に接続できる構造とすることを特徴とし、また、シールドアースを接続する専用の接地バーを筺体内下部に設置したことを特徴とするものである。
【００１３】
請求項２の発明は、前記請求項１の発明において、筺体内の上部に、配線用遮断器を９個横方向並列設置した配線用遮断器列を上下平行に４段配置して各配線用遮断器列の各配線用遮断器を４個縦方向並列すると共に、
前記配線用遮断器列２段を組として１８個の配線用遮断器の出力線３６本を接続する３６個の出力中継端子を横方向並列設置した出力中継端子台を２段上下平行に配置して、
【００１４】
１・２段目の配線用遮断器列の縦列２個の出力線４本、及び、３・４段目の配線用遮断器列の縦列２個の出力線４本を各組として縦方向配線して、１・２段目の出力線４本を２段目の出力中継端子台の４個の出力中継端子に直接的に接続し、
３・４段目の出力線４本を１段目の出力中継端子台の４個の出力中継端子に直接的に接続するように備え、
【００１５】
また、上記縦列２個の配線用遮断機の出力線４本は配線用遮断機毎に２本を包縛したのち、２本包縛したもの同志をスペーサーを介在して４本包縛して縦方向配線し、縦方向配線した位置で相対した４個の出力中継端子に直接的に接続するように備えたことを特徴とする、交流分岐架によって課題を解決したものである。
【００１６】
即ち、配線用遮断機（列）の出力線の出力中継端子（台）への収容方法を変更し、上２段分の配線用遮断機（列）の出力線は下段の出力中継端子（台）に、下２段分の配線用遮断機（列）の出力線は下段の出力中継端子（台）へ収容するように備え、
【００１７】
また、個々の配線用遮断機の出力線をそれぞれ包縛し、包縛したもの同志をスぺーサーを介して包縛することによって、多条密接包縛に原因する電流低減率の低下を改善できるように備えたことを特徴とするものである。
【００１８】
請求項３の発明は、前記請求項１の発明において、筺体内の上部に平行に配置した配線用遮断器列とその下方部に平行に配置した出力中継端子台の間に平行して設定段数のダクトを配置したものであり、
該ダクトは、角管状体の前面に蓋板を着脱自在に取付けると共に周面に設定間隔に孔をあけたものであり、該孔に前記配線用遮断器と出力中継端子間に接続した出力線の測定対象の出力線を貫通し、該ダクト内の該出力線に計器用変流器を着脱自在に接続して該計器用変流器をダクト内に収納設置可能とすると共に計器用変流器設置のための配線もダクト内に収容・配線可能としたことを特徴とする、交流分岐架によって課題を解決したものである。
【００１９】
即ち、計器用変流器をユーザー等側で後から付ける場合に取付け易くするために、配線用遮断機から出力中継端子までの間に、配線用遮断機（列）及び出力中継端子（台）と平行に設定数のダクトを設置したことを特徴とし、該ダクトは内部に計器用変流器を着脱自在に取付け収納し、計器用変流器の２次側からの電流計測線を収容する機能も併せ持つと共に、ダクトの正面側に着脱自在な蓋を取付けることによって、計器用変流器を固定する必要なく収容できることを特徴とするものである。
【００２０】
請求項４の発明は、前記請求項１の発明において、筺体内に、上下平行に配置した４段の配線用遮断機列に、６０Ａフレームの単相配線用遮断機を最大横方向並列９個で縦方向並列４個の計３６個を収納し、
前記配線用遮断機列の下方部に上下平行に２段の出力中継端子台を備えたことを特徴とする、交流分岐架によって課題を解決したものである。
【００２１】
請求項５の発明は、前記請求項１の発明において、出力中継端子台の１４ｍｍ２の電線を収容できる出力中継端子に、最大１８個の配線用遮断機からの出力電線を収容できるように備えたことを特徴とする、交流分岐架によって課題を解決したものである。
【００２２】
請求項６の発明は、前記請求項１の発明の、筺体内に上下平行に２段に配置した前記出力中継端子台において、上下の出力中継端子の端子部が重なって出力線の配線接続の妨げにならないようにするため、左右に位置をずらして配置したことを特徴とする、交流分岐架によって課題を解決したものである。
【００２３】
即ち、出力中継端子台は２段に構成されているため、各台の端子が上下で重なって位置して、配線接続の作業がしにくいため、それぞれの端子部が重ならないように上下の出力中継端子台の位置を左右にずらした設置に備えたことを特徴とするものである。
【００２４】
請求項７の発明は、前記請求項１の発明において、筺体内に配置した前記出力中継端子台及び前記接地バーの各正面を、出力線及びシールドアースの配線接続を容易にするため、垂直方向に対し２０〜３０度傾斜して備えたことを特徴とする、交流分岐架によって課題を解決したものである。
【００２５】
即ち、出力中継端子台及び前記接地バーの各正面を２０〜３０度傾斜して備えることによって、配線接続作業を明確に目視して行うことができ、また、座ったままなど楽な姿勢で作業できるなど、作業効率向上できるように備えたことを特徴とするものである。
【発明の効果】
【００２６】
（１）配線用遮断機（列）と出力中継端子（台）が平行に設置されているため、両者間を同長の電線で配線接続でき、よって、同長に切断・加工した電線を準備すればよく、また、同長であるため、極相を間違えた場合でも容易に変更ができる等の極めて経済的・効率的な特徴がある。前記特徴はユーザー等側で施工する中継端子台の２次側でも同じことで、ケーブルを同一長さで切断・加工・準備することができるため極めて経済的・効率的な特徴がある。
（２）縦方向並列設置した配線用遮断機を1ブロックとし、各配線用遮断機からの出力線をそれぞれ２本ずつ包縛して、他の配線用遮断機とはスペーサーを介して包縛することにより電流低減率を、従来の多条密接包縛の場合に比し格段に改善できる優れた効果がある。
（３）即ち、前記スペーサーを介して包縛する本発明手段によって、電流低減率を従来の約６０％から約８５％に改善することができる。
この改善によって、例えば、同じ1４ｍｍ２の電線の場合、電流低減率が約８５％に改善されるため、同じ容積の筺体に従来より多数の配線用遮断器、出力中継端子等の設置が可能となり、また、例えば、細い８ｍｍ２の電線に変更ことができ、細い電線が使用可能なため敷設スペースを小に、加工、配線等を容易にすることができる効果がある。
（４）上下の出力中継端子の端子部が重ならないように左右に位置をずらして配置したので、明確に目視できて配線接続の作業がし易く、定位置に座ったまま作業できる等の特徴があり、また、ユーザー等側で配線実施後であっても下段の端子ボルトの着脱が容易な特徴がある。
（５）出力中継端子（台）及び接地バーが正面から見て水平平行に配置されると共に、２０〜３０度の角度を持って配置されているため、明確に目視して楽な姿勢で配線接続作業することができ極めて効率的である。
（６）相互に平行配置した配線用遮断機（列）と出力中継端子（台）の間に平行にダクトを設けたので、
１．内部に計器用変流器を着脱自在に取付け収納することができ、２．また、計器用変流器の２次側からの電流計測線を収容することができ、
３．蓋があるため計器用変流器の固定が不必要であり、
４．計器用変流器による出力電圧測定を負荷側（装置等側）に電力を供給中であっても、出力中継端子の取外し（停電する）等の作業がなく安全かつ容易にでき、特に、端子の取外し時に停電を伴う従来の課題を回避でき、
５．新たに配線用具を設置する必要がなくなる等の優れた効果がある。
（７）シールドアース専用の接地バーを筺体下部に設置したため、今まで必要であった出力中継端子が不要となり、シールドアースの包縛も不要となって施工効率性を向上できる。
【図面の簡単な説明】
【００２７】
【図１】図１は本発明の構成概略説明正面図である。（実施例１）
【図２】図２は本発明の構成概略説明側面図である。（実施例１）
【図３】図３は出力線のスペースを介した包縛状態の説明図である。（実施例１）
【図４】図４の（イ）はダクト内に計器用変流器を設置した説明正面図、（ロ）は説明断面図である。（実施例１）
【図５】図５は従来例の構成概略説明正面図である。（従来例）
【発明を実施するための形態】
【００２８】
前記従来の課題を解決せんとする目的を、本発明は、筺体内に上から配線用遮断機（列）、計器用変流器設置用ダクト、出力中継端子（台）、接地バーの順に水平方向上下平行に配置し、
配線用遮断機（列、ダクト、出力中継端子（台）の間の出力線をスペーサーを介して包縛し縦方向配線すると共に、出力中継端子（台）、接地バーの間にシールドアースを縦方向配線することによって実現した。
【実施例１】
【００２９】
本発明に係る交流分岐架１の実施例につき説明する。（図面を参照）
筺体２内の上部に、配線用遮断器（ＭＣＣＢ）３を９個横方向並列設置した配線用遮断器列４を上下平行に４段配置して各配線用遮断器列４の各配線用遮断器３を４個縦方向並列すると共に、
前記配線用遮断器列４の２段を組として１８個の配線用遮断器３の出力線７の合計３６本を接続する３６個の出力中継端子５を横方向並列設置した出力中継端子台６を２段上下平行に配置して、
【００３０】
１・２段目の配線用遮断器列４の縦列２個の出力線４本、及び、３・４段目の配線用遮断器列４の縦列２個の出力線４本を各組として縦方向配線して、１・２段目の出力線４本を２段目の出力中継端子台６の４個の出力中継端子５に直接的に接続し、
３・４段目の出力線４本を１段目の出力中継端子台６の４個の出力中継端子５に直接的に接続するように備え、
【００３１】
上記縦列２個の配線用遮断機３の出力線４本は配線用遮断機３毎に２本を包縛したのち、２本包縛したもの同志をスペーサー１０を介在して４本包縛して縦方向配線し、縦方向配線した位置で相対した４個の出力中継端子５に直接的に接続するように備え、（図１、図３参照）
【００３２】
また、筺体２内の下部に前記出力中継端子台６の個々の出力中継端子５に接続したシールドアース１２を接続する専用の接地バー１１を備えて、本発明交流分岐架１を設けたものである。（図１、図２  参照）
【００３３】
前記のように、筺体２内の上部に上下平行に配置した配線用遮断器列４とその下方部に上下平行に配置した出力中継端子台６の間に上下平行して設定段数のダクト９を配置したものであり、
該ダクト９は、角管状体１３の前面に蓋板１４を着脱自在に取付けると共に周面に設定間隔に孔１５をあけて備え、該孔１５に前記配線用遮断機３と出力中継端子５間に接続した出力線７の測定対象の出力線７を貫通し、該ダクト９内の該出力線７に計器用変流器（ＣＴ）８を着脱自在に接続して該計器用変流器８をダクト９内に収納設置可能とすると共に計器用変流器８設置のための配線１６もダクト９内に収容・配線可能に備えたものである。（図１、図２、図４  参照）
【００３４】
実施例１では、筺体２内に、上下平行に配置した４段の配線用遮断機列４に、６０Ａフレームの単相配線用遮断機３を最大横方向並列９個で縦方向並列４個の計３６個を収納し、
前記配線用遮断機列４の下方部に上下平行に２段の出力中継端子台６に計３６個の配線用遮断機列４に見合った数の出力中継端子５を備えたものであり、
また、前記出力中継端子台６の１４ｍｍ２の電線を収容できる出力中継端子５に、最大１８個の配線用遮断機３からの出力電線を収容できるように備えたものである。
【００３５】
また、前記のように、筺体２内に上下平行に２段に配置した前記出力中継端子台６において、上下の出力中継端子５の端子部が重なって出力線７の配線接続の妨げにならないようにするため、上下の出力中継端子台６の位置を左右にずらして備えたものである。（図１  参照）
【００３６】
また、前記のように、筺体２内に配置した前記出力中継端子台６及び前記接地バー１１の各正面を、出力線７及びシールドアース１２の配線接続を容易にするため、筺体２の垂直方向に対し２０〜３０度傾斜して備えたものである。（図２参照）
なお、前記接地バー１１の材質は銅等の導通性のある金属製としたものである。
【産業上の利用可能性】
【００３７】
本発明は、筺体内に夫々設定数の配線用遮断機（ＭＣＣＢ）、出力中継端子、計器用変流器（ＣＴ）、ダクト等を相互平行に配置し、それらの間を縦方向配線接続して構成した、各種交流分岐架（交流分電盤）に汎用し得るものである。
【符号の説明】
【００３８】
１  交流分岐架
２  筺体
３  配線用遮断機（ＭＣＣＢ）
４  配線用遮断機列
５  出力中継端子
６  出力用中継端子台
７  出力線
８  計器用変流器（ＣＴ）
９  ダクト
１０  スペーサー
１１  接地バー
１２  シールドアース
１３  角管状体（ダクト）
１４  蓋板（ダクト）
１５  孔（ダクト）
１６  配線（ＣＴ）
以下、従来例
１０１  交流分岐架
１０２  筺体
１０３  配線用遮断機（ＭＣＣＢ）
１０５  出力中継端子
１０７  出力線
１０８  多条密接包縛出力線
１０９  計器用変流器（ＣＴ）
１１０  シールドアース用接地線
【図１】
2010193583.tif 000003
【図２】
2010193583.tif 000004
【図３】
2010193583.tif 000005
【図４】
2010193583.tif 000006
【図５】
2010193583.tif 000007